(57)【要約】【課題】実施形態の課題は、アンテナおよび他の電子部品とのノイズ干渉を低減することが可能な電子機器を提供することにある。【解決手段】実施形態に係る電子機器は、表示パネルと、表示パネルに重ねて配置され、アンテナを形成したアンテナ配線ＡＷを有するアンテナ配線基板４０と、アンテナ配線基板に形成され表示パネルに駆動信号を供給する信号配線ＤＷと、を備えている。【選択図】  図４
2020102661.tif 000002
【特許請求の範囲】
【請求項１】
表示パネルと、
前記表示パネルと重ねて配置され、アンテナを形成するアンテナ配線を有するアンテナ配線基板と、
前記アンテナ配線基板に設けられ、前記表示パネルに駆動信号を供給する信号配線と、
を備える電子機器。
【請求項２】
前記アンテナ配線基板は、本体と本体の一側から延出した帯状の延出部とを一体に有し、前記アンテナ配線は前記本体上にループ状に延在し、前記信号配線は、前記本体の一端部から前記アンテナ配線のループの外側を通り前記延出部の延出端まで延在している請求項１に記載の電子機器。
【請求項３】
前記アンテナ配線基板は、前記アンテナ配線および信号配線が設けられた第１主面と、前記第１主面と反対側に位置する第２主面と、を有し、
前記本体の第２主面に積層されたシールド層を更に備えている請求項２に記載の電子機器。
【請求項４】
前記本体の第１主面に積層された第２シールド層を更に備え、
前記第２シールド層は、前記アンテナ配線のループの外側に設けられ前記信号配線を覆っている請求項３に記載の電子機器。
【請求項５】
前記アンテナ配線基板の前記第１主面に実装された第１コネクタを更に備え、
前記アンテナ配線の一対の端部および前記信号配線の一端部は前記第１コネクタに電気的に接続されている請求項３に記載の電子機器。
【請求項６】
前記延出部の近傍で前記本体に実装された発光素子と、前記本体に設けられた第２信号配線とを更に備え、前記第２信号配線は、前記発光素子に電気的に接続された一端部と前記第１コネクタに電気的に接続された他端部とを有している請求項５に記載の電子機器。
【請求項７】
前記アンテナ配線基板に実装された発光素子と、前記アンテナ配線基板上に設けられ前記発光素子に電気的に接続された第２信号配線と、を更に備えている請求項１又は２に記載の電子機器。
【請求項８】
前記アンテナ配線基板の前記第２主面に実装された第１コネクタを更に備え、
前記アンテナ配線の一対の端部および前記信号配線の一端部は、前記アンテナ配線基板に貫通形成された導電部を介して前記第１コネクタに電気的に接続されている請求項３に記載の電子機器。
【発明の詳細な説明】
【技術分野】
【０００１】
本発明の実施形態は、アンテナ配線基板を有する電子機器に関する。
【背景技術】
【０００２】
近年、スマートフォン等のモバイル電子機器、身体に装着可能なウエラブル電子機器が多数提供されている。これらのモバイル電子機器、ウエラブル電子機器は、通常、無線通信可能な無線アンテナ、表示パネル（液晶表示パネル、有機ＥＬ表示パネル）、プリント回路基板等を備えて構成されている。  
電子回路や電子部品には、長波長帯域のノイズを発生するものが多く、標準電波を受信する際に隣接する配線や電子部品からのノイズが混入しやすい。また、例えば、腕時計のような小型のウエラブル電子機器では、筐体あるいはケース内に、無線アンテナ、表示パネルの配線、バックライト装置の配線、他の電子部品が密に配置されている。そのため、ノイズ混入に係る問題が顕著となる。例えば、配線間のカップリングに起因するノイズの発生、および電子部品から配線へのノイズの混入が発生しやすい。
【先行技術文献】
【特許文献】
【０００３】
【特許文献１】特開２０１５−１２１５４４号公報
【特許文献２】特開２００２−９８７７７号公報
【発明の概要】
【発明が解決しようとする課題】
【０００４】
この発明の実施形態の課題は、アンテナおよび他の電子部品とのノイズ干渉を低減することが可能な電子機器を提供することにある。
【課題を解決するための手段】
【０００５】
実施形態に係る電子機器は、表示パネルと、前記表示パネルと重ねて配置され、アンテナを形成するアンテナ配線を有するアンテナ配線基板と、前記アンテナ配線基板に設けられ、前記表示パネルに駆動信号を供給する信号配線と、を備えている。
【図面の簡単な説明】
【０００６】
【図１】図１は、第１の実施形態に係るウエラブルデバイスを概略的に示す斜視図。
【図２】図２は、前記ウエラブルデバイスの筐体内に配置される構成要素を示す分解斜視図。
【図３】図３は、図１の線Ａ−Ａに沿ったウエラブルデバイスの断面図。
【図４】図４は、アンテナ配線基板（電子機器）の配線側を示す平面図。
【図５】図５は、図４の線Ｂ−Ｂに沿ったアンテナ配線基板の断面図。
【図６】図６は、前記アンテナ配線基板の背面側を示す平面図。
【図７】図７は、第１変形例に係るアンテナ配線基板の平面図。
【図８】図８は、第２変形例に係るアンテナ配線基板の平面図。
【図９】図９は、第２の実施形態に係るウエラブルデバイスの構成要素を示す分解斜視図。
【図１０】図１０は、第２の実施形態に係るウエラブルデバイスの断面図。
【図１１】図１１は、アンテナ配線基板の配線側の平面図。
【図１２】図１２は、前記アンテナ配線基板の背面側を示す平面図。
【図１３】図１３は、第３変形例に係るアンテナ配線基板の配線側を示す平面図。
【図１４】図１４は、第３変形例に係るアンテナ配線基板の背面側を示す平面図。
【図１５】図１５は、第３の実施形態に係るウエラブルデバイスの構成要素を示す分解斜視図。
【図１６】図１６は、第３の実施形態に係るウエラブルデバイスの断面図。
【図１７】図１７は、第４変形例に係るアンテナ配線基板の配線側を示す平面図。
【図１８】図１８は、図１７の線Ｃ−Ｃに沿ったアンテナ配線基板の断面図。
【発明を実施するための形態】
【０００７】
以下、図面を参照しながら、この発明の実施形態について詳細に説明する。  
なお、開示はあくまで一例にすぎず、当業者において、発明の主旨を保っての適宜変更であって容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００８】
（第１の実施形態）
図１は、実施形態に係る腕時計型のウエラブルデバイスを概略的に示す斜視図である。第１の実施形態は、腕時計型に適用したウエラブルデバイス１０を示している。図示のように、ウエラブルデバイス１０は、偏平な円形、楕円形、あるいは、多角形状の筐体１２を備えている。筐体１２内には、後述する制御回路基板、アンテナ配線基板、バックライト装置、表示パネル２０等が積層状態で収納されている。また、筐体１２にはバンド１４が取り付けられている。
【０００９】
図２は、筐体１２内に配置される構成要素を示す分解斜視図、図３は、図１の線Ａ−Ａに沿ったウエラブルデバイス１０の断面図である。
図２に示すように、ウエラブルデバイス１０は、表示パネル２０、バックライト装置３０、アンテナ配線基板４０、および制御回路基板６０を備え、これらの構成要素は、筐体１２の形状に合わせて、ほぼ円形、楕円形、あるいは多角形状に形成されている。
一例では、表示パネル２０として液晶表示パネルを用いている。図２および図３に示すように、表示パネル２０は、多角形状の第１基板ＳＵＢ１と、第１基板ＳＵＢ１に対向配置された多角形の第２基板ＳＵＢ２と、第１基板ＳＵＢ１と第２基板ＳＵＢ２との間に封止された液晶層ＬＣと、を備えている。第２基板ＳＵＢ２の周縁部は、シール材ＳＥにより第１基板ＳＵＢ１に貼り合わされている。第２基板ＳＵＢ２の表面に図示しない偏光板が貼付され、表示パネル２０の表示面２０ａを形成している。第１基板ＳＵＢ１の表面（表示パネル２０の背面）に偏光板が貼付されている。第１基板ＳＵＢ１および第２基板ＳＵＢ２は、それぞれガラスあるいは合成樹脂シートで形成された可撓性基板を用いている。
【００１０】
図２に模式的に示すように、表示パネル２０は、表示領域にマトリクス状に配列された複数の画素ＰＸを備えている。第１基板ＳＵＢ１は、表示領域に設けられ第１方向に延出するソース線（データバスライン）Ｓと、第１方向と直交する第２方向に延出するゲート線（ゲートバスライン）Ｇとを有している。各画素ＰＸは、ゲート線Ｇおよびソース線Ｓと電気的に接続されたメモリ回路（例えば、ＳＲＡＭ）Ｍおよび電圧供給回路ＶＣ、電圧供給回路ＶＣに接続された画素電極ＰＥなどを備えている。コモン電位の共通電極ＣＥは、第１基板ＳＵＢ１または第２基板ＳＵＢ２に備えられ、複数の画素電極ＰＥと対向している。
【００１１】
表示パネル２０は、外光や補助光といった表示面側からの光を選択的に反射させることで画像を表示する反射表示機能を備えた反射型として構成されている。一例では、各画素電極の少なくとも一部は、外光を反射可能な反射面を構成している。また、本実施形態において、表示パネル２０は、後述するバックライト装置からの光を選択的に透過させることで画像を表示する透過表示機能を備えている。各画素電極の少なくとも一部は、光を透過可能な透過部を構成している。表示パネル２０は、図示しないタッチセンサを備えたタッチ入力可能な表示パネルとしてもよい。表示パネル２０は、液晶表示パネルに限らず、有機ＥＬ表示パネルを用いることも可能である。
本実施形態では、表示面２０ａに重ねてカバーパネル２４が貼付されている。表示パネル２０は、カバーパネル２４の周縁部を筐体１２に支持することにより、筐体１２内に配置されている。
【００１２】
図２および図３に示したように、バックライト装置３０は、全体として、表示パネル２０とほぼ等しい大きさの多角形状に構成され、表示パネル２０の背面（第１基板ＳＵＢ１の表面）に対向して配置される。バックライト装置３０は、例えば樹脂で形成された環状のフレーム（ベゼル）３２と、フレーム３２の背面に貼付された多角形の反射シートＲＥと、フレーム３２内に配置された複数の光学部材と、光学部材に入射する光を供給する光源ユニット３６と、を備えている。  
光学部材は、フレーム３２内で反射シートＲＥ上に配置された導光板ＬＧ、および導光板ＬＧ上に重ねて配置された複数枚、例えば、第１光学シートＯＳ１、第２光学シートＯＳ２を有している。導光板ＬＧは、例えば、円形に形成され、表示パネル２０に対向する第１主面（出射面）Ｓ１、この第１主面と反対側に位置し反射シートＲＥに対向する第２主面（反射面）Ｓ２、および、第１主面Ｓ１ａと第２主面Ｓ２とに繋がる外周面（入射面）ＥＦを有している。
【００１３】
光源ユニット３６は、フレキシブルプリント回路基板（ＦＰＣ）からなる配線基板３６ａと、配線基板３６ａ上に実装された２つの発光素子、例えば、発光ダイオード（ＬＥＤ）３６ｂと、を有している。配線基板３６ａはフレーム３２に取付けられ、ＬＥＤ３６ｂは導光板ＬＧの入射面ＥＦに対向している。
バックライト装置３０のフレーム３２は、環状の両面テープＴＰ１により表示パネル２０の背面に貼付される。これにより、バックライト装置３０は、表示パネル２０の背面に対向した状態に配置されている。
【００１４】
制御回路基板６０は、一例では円形に形成されたプリント回路基板６０ａと、プリント回路基板６０ａの一方の表面に実装された駆動ＩＣ６２ａ、コネクタ６２ｂ等の複数の電子部品６２と、プリント回路基板６０ａの他方の表面に実装された駆動ＩＣ６４ａ等を含む複数の電子部品６４と、を有している。制御回路基板６０は、筐体１２の底壁１２ａ上に載置され、表示パネル２０およびバックライト装置３０と対向している。この際、制御回路基板６０は、コネクタ６２ｂがバックライト装置３０側に位置するように配置される。
【００１５】
電子機器の一例であるアンテナ配線基板４０は、バックライト装置３０と制御回路基板６０との間に配置され、反射シートＲＥに対向している。図４は、アンテナ配線基板４０の第１主面側（配線側）を示す平面図、図５は、図４の線Ｂ−Ｂに沿ったアンテナ配線基板の断面図、図６は、アンテナ配線基板の第２主面側（背面側）を示す平面図である。
アンテナ配線基板４０は、例えば、フレキシブルプリント回路基板（ＦＰＣ）で構成され、円形の本体４０ａと、本体４０ａの周縁から一方向に延出した帯状の第１延出部４１ａと、本体４０ａの周縁から第１延出部と反対の方向に延出した帯状の第２延出部４１ｂとを一体に有している。
【００１６】
図示のように、電子機器の一例であるアンテナ配線基板４０は、ポリイミド等の絶縁材料で形成されたベース層４２と、ベース層４２上に形成された導電層、例えば、銅箔、をパターニングすることにより形成されたアンテナ配線ＡＷ、信号配線ＤＷ１、および第２信号配線ＤＷ２と、導電層に重ねてベース層４２上に形成された保護層４４と、を有している。アンテナ配線基板４０は、配線が設けられている第１主面ＭＳ１と、第１主面ＭＳ１の反対側に対向して位置する第２主面ＭＳ２と、を有している。また、アンテナ配線基板４０は、第１主面ＭＳ１側で第１延出部４１ａ上に実装された第１コネクタ４５と、ベース層４２の背面（第２主面ＭＳ２）に積層されたシールド層４３とを有している。本実施形態において、シールド層４３は、本体４０ａの第２主面ＭＳ２に設けられ、ノイズシールドとして機能する。
【００１７】
アンテナ配線ＡＷは、本体４０ａ上にループ状に延在し、一対の配線端部は第１延出部４１ａ上に延在し第１コネクタ４５に電気的に接続されている。アンテナ配線ＡＷは、近距離無線通信（ＮＦＣ）アンテナを形成している。
一例では、複数の信号配線ＤＷ１は、第１延出部４１ａから本体４０ａ上を通り第２延出部４２ｂの延出端まで延在している。本体４０ａ上において、信号線ＤＷ１は、アンテナ配線ＡＷの径方向外側、かつ、片側に配置され、本体４０ａの外周縁に沿って延在している。複数の信号配線ＤＷ１の一端部は、第１延出部４１ａにおいて第１コネクタ４５に電気的に接続されている。第１の実施形態において、信号配線ＤＷ１は、表示パネル２０へ駆動信号および駆動電圧を供給する表示パネル用の信号配線を構成している。信号配線ＤＷ１は２本のみ図示しているが、これに限らず、一本あるいは３本以上の多数本としてもよい。また、信号配線ＤＷ１は、アンテナ配線ＡＷの片側に限らず、アンテナ配線の両側にそれぞれ配置する構成としてもよい。  
なお、アンテナ配線ＡＷは、近距離無線通信（ＮＦＣ）アンテナを形成する配線としているが、これに限らず、種々のアンテナに適用可能であり、ＧＰＳアンテナＧＡあるいはブルートゥース（登録商標）用アンテナ等に適用することも可能である。
【００１８】
複数の第２信号配線ＤＷ２は、第１延出部４１ａから本体４０ａ上を通り第２延出部４２ｂの近傍まで延在している。本体４０ａ上において、第２信号線ＤＷ２は、アンテナ配線ＡＷの径方向外側、かつ、信号配線ＤＷ１と反対の片側に配置され、本体４０ａの外周縁に沿って延在している。第２信号配線ＤＷ２の一端部はそれぞれ第１コネクタ４５に電気的に接続されている。また、第２延出部４１ｂの近傍で、本体４０ａの第２主面ＭＳ２に第２コネクタ４７が実装されている。第２信号配線ＤＷ２の他端部は、ベース層４２に貫通形成された導電部、例えば、メッキスルーホールＴＨ３あるいは接続端子を介して、第２コネクタ４７に電気的に接続されている。なお、第２コネクタ４７は、前述した光源ユニット３６の配線基板３６ａを接続可能に形成されている。
【００１９】
図２および図３に示すように、上記のように構成されたアンテナ配線基板４０は、アンテナ配線ＡＷ側（第１主面ＭＳ１）がバックライト装置３０に対向し、シールド層４３側が制御回路基板６０と対向した状態で配置されている。第１延出部４１ａは、制御回路基板９０側に折り返され、第１コネクタ４５は制御回路基板６０のコネクタ６２ｂに電気的、かつ、機械的に接合されている。本実施形態において、第１コネクタ４５は、差し込み方のコネクタを用いているが、これに限らず、種々のコネクタを適用可能であり、例えば、ＺＩＦタイプのコネクタを使用することも可能である。
第２延出部４１ｂは、表示パネル２０の第１基板ＳＵＢ１の端部に接合され、信号配線ＤＷ１は、表示パネル２０の配線に電気的に接続されている。光源ユニット３６の配線基板３６ａの接続端部は、第２コネクタ４７を介してアンテナ配線基板４０に接続されている。第２コネクタ４７は、アンテナ配線基板４０に設けられた信号配線ＤＷ３を介して第１コネクタ４５に電気的に接続されている。
以上のように、表示パネル２０および光源ユニット３６は、アンテナ配線基板４０に設けられた信号配線ＤＷ１、ＤＷ２および第１および第２コネクタ４５、４７を介して、制御回路基板６０に電気的に接続されている。  
なお、図３に示すように、筐体１２の側壁１２ｂにＧＰＳアンテナＧＡあるいはブルートゥース用アンテナ等の他のアンテナを埋め込んで配置してもよい。
【００２０】
以上のように構成された第１の実施形態に係るウエラブルデバイス１０によれば、アンテナ配線基板上にアンテナ配線および表示パネル用あるいは光源装置用の信号配線を設けることにより、このアンテナ配線基板を介して、表示パネル２０および光源ユニット３６を制御回路基板６０に接続することが可能となる。表示パネル接続用の独立した配線基板（ＦＰＣ）、および、光源ユニット３６接続用の独立した配線基板（ＦＰＣ）が不要となり、部品点数の削減、製造コストの低減、組立性の向上、を図ることが可能となる。同時に、小型の筐体内に配置した場合でも、他のＦＰＣをアンテナ配線基板４０に重ねて（基板表面と直交する方向に重ねて）配置する必要がなく、アンテナ配線ＡＷとＦＰＣとの間のクロストークによるノイズの発生および他のアンテナへの悪影響を大幅に低減、抑制することができる。更に、部品点数を削減することにより、ウエラブルデバイスの構成要素を小型の筐体内に容易に設置することが可能となり、あるいは、筐体の一層の小型化を図ることが可能となる。以上のことから、第１の実施形態によれば、アンテナおよび他の電子部品とのノイズ干渉を低減することが可能な電子機器が得られる。
【００２１】
次に、変形例に係るアンテナ配線基板および他の実施形態係るウエラブルデバイスについて説明する。以下に説明する変形例および他の実施形態において、前述した第１の実施形態と同一の部分には、同一の参照符号を付してその詳細な説明を省略あるいは簡略化し、第１の実施形態と異なる部分を中心に詳しく説明する。
【００２２】
（第１変形例）
図７は、第１変形例に係るアンテナ配線基板の平面図である。
図７に示すように、第１変形例では、アンテナ配線基板４０の本体４０ａ上で第２延出部４１ｂの近傍に、発光素子（ＬＥＤ）３６ｂが実装されている。アンテナ配線基板４０上に、アンテナ配線ＡＷ、表示パネル用の信号配線ＤＷ１、更に、ＬＥＤ３６ｂに駆動信号を供給するための第２信号配線ＤＷ２が設けられている。  
複数の信号配線ＤＷ１は、第１延出部４１ａから本体４０ａ上を通り第２延出部４２ｂの延出端まで延在している。本体４０ａ上において、信号線ＤＷ１は、アンテナ配線ＡＷの径方向外側、かつ、片側に配置され、本体４０ａの外周縁に沿って延在している。複数の信号配線ＤＷ１は、第１延出部４１ａにおいて第１コネクタ４５に電気的に接続されている。
【００２３】
複数の第２信号配線ＤＷ２は、第１延出部４１ａから本体４０ａ上を通りＬＥＤ３６ｂまで延在している。本体４０ａ上において、第２信号線ＤＷ２は、アンテナ配線ＡＷの径方向外側、かつ、信号配線ＤＷ１と反対側に配置され、本体４０ａの外周縁に沿って延在している。第２信号線Ｗ２の一端部は、それぞれＬＥＤ３６ｂに電気的に接続されている。また、第２信号配線ＤＷ２の他端部は、第１延出部４１ａにおいて第１コネクタ４５に電気的に接続されている。
【００２４】
上記第１変形例によれば、アンテナ配線基板４０上に、光源ユニットの発光素子３６ｂおよび信号配線ＤＷ２を集約することにより、独立した光源ユニット（配線基板および発光素子）３６を省略することができる。また、光源ユニット用の独立した配線基板（シールドされていないＦＰＣ）を省略することにより、アンテナ配線基板４０とのノイズカップリングによる悪影響を一層低減することが可能となる。
【００２５】
（第２変形例）
図８は、第２変形例に係るアンテナ配線基板の平面図である。  
図８に示すように、第２変形例では、アンテナ配線基板４０の本体４０ａ上で第２延出部４１ｂの近傍に、２つの発光素子（ＬＥＤ）３６ｂが実装されている。アンテナ配線基板４０上に、アンテナ配線ＡＷ、表示パネル用の信号配線ＤＷ１、更に、ＬＥＤ３６ｂに駆動信号を供給するための第２信号配線ＤＷ２が設けられている。  
第２変形例において、複数の信号配線ＤＷ１は、第１延出部４１ａから本体４０ａ上を通り第２延出部４２ｂの延出端まで延在している。本体４０ａ上において、信号線ＤＷ１は、アンテナ配線ＡＷの径方向外側、かつ、両側に引き回されている。複数の信号配線ＤＷ１は、第１延出部４１ａにおいて第１コネクタ４５に電気的に接続されている。
【００２６】
２本の第２信号配線ＤＷ２は、第１延出部４１ａから本体４０ａ上を通り一方のＬＥＤ３６ｂまで延在している。本体４０ａ上において、第２信号線ＤＷ２は、信号配線ＤＷ１の径方向外側、かつ、片側に配置され、本体４０ａの外周縁に沿って延在している。第２信号線Ｗ２の一端部は、それぞれＬＥＤ３６ｂに電気的に接続されている。また、第２信号配線ＤＷ２の他端部は、第１延出部４１ａにおいて第１コネクタ４５に電気的に接続されている。  
他の２本の第２信号配線ＤＷ２は、第１延出部４１ａから本体４０ａ上を通り他方のＬＥＤ３６ｂまで延在している。本体４０ａ上において、第２信号線ＤＷ２は、信号配線ＤＷ１の径方向外側、かつ、他方の片側に配置され、本体４０ａの外周縁に沿って延在している。第２信号線Ｗ２の一端部は、それぞれ他方のＬＥＤ３６ｂに電気的に接続されている。また、第２信号配線ＤＷ２の他端部は、第１延出部４１ａにおいて第１コネクタ４５に電気的に接続されている。  
第２変形例に係るアンテナ配線基板においても、上述した第１変形例に係るアンテナ配線基板と同様の作用効果を得ることができる。
【００２７】
（第２の実施形態）
図９は、第２の実施形態に係るウエラブルデバイスの構成要素を示す分解斜視図、図１０は、第２の実施形態に係るウエラブルデバイスの断面図、図１１は、アンテナ配線基板の配線側を示す平面図、図１２は、前記アンテナ配線基板の背面側を示す平面図である。
第２の実施形態によれば、図９および図１０に示すように、アンテナ配線基板４０は、バックライト装置３０と制御回路基板６０との間に配置され、アンテナ配線基板４０の配線側の面がバックライト装置３０に対向し、シールド層側の面が制御回路基板６０に対向している。
【００２８】
図１１および図１２に示すように、アンテナ配線基板４０は、ほぼ円形の本体４０ａと、本体４０ａの外周縁から一方向に延出した帯状の第２延出部４１ｂとを一体に有している。第１延出部は設けられていない。アンテナ配線基板４０の本体４０ａ上で第２延出部４１ｂの近傍に、２つの発光素子（ＬＥＤ）３６ｂが実装されている。アンテナ配線基板４０上に、アンテナ配線ＡＷ、表示パネル用の信号配線ＤＷ１、更に、ＬＥＤ３６ｂに駆動信号を供給するための第２信号配線ＤＷ２が設けられている。アンテナ配線基板４０の背面（第２主面Ｓ２）に第１コネクタ４５が実装されている。更に、第１コネクタ４５を除く本体４０ａの背面全体にシールド層４３が積層されている。
【００２９】
アンテナ配線ＡＷは、本体４０ａ上にループ状に延在し、アンテナ配線ＡＷの一対の端部は、本体４０ａの一端部、ここでは、第２延出部４１ｂと反対側の端部に配置されている。これらの端部は、ベース層４２を貫通して設けられた導電部、例えば、メッキスルーホールＴＨ１あるいは接続端子を介して、背面側の第１コネクタ４５に電気的に接続されている。
複数の信号配線ＤＷ１は、それぞれ本体４０ａの上記一端部から第２延出部４２ｂの延出端まで延在している。本体４０ａ上において、信号線ＤＷ１は、アンテナ配線ＡＷの径方向外側、かつ、両側に引き回されている。各信号配線ＤＷ１の一端部は、ベース層４２を貫通して設けられた導電部、例えば、メッキスルーホールＴＨ２あるいは接続端子を介して、第１コネクタ４５に電気的に接続されている。
【００３０】
２本の第２信号配線ＤＷ２は、それぞれ本体４０ａの上記一端部から本体４０ａ上を通り一方のＬＥＤ３６ｂまで延在している。本体４０ａ上において、第２信号線ＤＷ２は、信号配線ＤＷ１の径方向外側、かつ、片側に配置され、本体４０ａの外周縁に沿って延在している。第２信号線Ｗ２の延出端は、それぞれＬＥＤ３６ｂに電気的に接続されている。また、第２信号配線ＤＷ２の一端は、メッキスルーホールＴＨ３あるいは接続端子を介して、背面側の第１コネクタ４５に電気的に接続されている。  
他の２本の第２信号配線ＤＷ２は、それぞれ本体４０ａの上記一端部から本体４０ａ上を通り他方のＬＥＤ３６ｂまで延在している。本体４０ａ上において、第２信号線ＤＷ２は、信号配線ＤＷ１の径方向外側、かつ、他方の片側に配置され、本体４０ａの外周縁に沿って延在している。第２信号線Ｗ２の延出端は、それぞれ他方のＬＥＤ３６ｂに電気的に接続されている。また、第２信号配線ＤＷ２は、メッキスルーホールＴＨ３あるいは接続端子を介して、第１コネクタ４５に電気的に接続されている。
【００３１】
図１０に示すように、アンテナ配線基板４０は、配線側の面が反射シートＲＥに対向して配置されている。アンテナ配線基板４０の第１コネクタ４５は、制御回路基板６０の第２コネクタ６２ｂに嵌合している。第１コネクタ４５および第２コネクタ６２ｂは、互いに嵌合可能なスタッキングコネクタあるいは、いわゆるＢｔｏＢコネクタで構成されている。これにより、アンテナ配線基板４０のアンテナ配線ＡＷ、信号配線ＤＷ１、および第２信号配線ＤＷ２は、第１コネクタ４５および第２コネクタ６２ｂを介して、制御回路基板６０に電気的に接続されている。  
また、アンテナ配線基板４０の第２延出部４１ｂは、表示パネル２０の第１基板ＳＵＢ１の端部に接合されている。これにより、信号配線ＤＷ１は、第１基板ＳＵＢ１の配線に電気的に接続されている。更に、アンテナ配線基板４０上に実装されたＬＥＤ３６ｂは、導光板ＬＧの入射面ＥＦに隣接対向して位置している。
【００３２】
以上のように構成された第２の実施形態によれば、アンテナ配線基板４０上に、表示パネル用の信号配線ＷＤ１およびＬＥＤ駆動用の第２信号配線ＷＤ２を設けることにより、
このアンテナ配線基板を介して、表示パネル２０およびＬＥＤ３６ｂを制御回路基板６０に接続することが可能となる。表示パネル接続用の独立した配線基板（ＦＰＣ）、および、光源ユニット３６接続用の独立した配線基板（ＦＰＣ）が不要となり、部品点数の削減、製造コストの低減、組立性の向上、を図ることが可能となる。同時に、小型の筐体内に配置した場合でも、他のＦＰＣをアンテナ配線基板４０に重ねて（基板表面と直交する方向に重ねて）配置する必要がなく、アンテナ配線ＡＷとＦＰＣとの間のクロストークによるノイズの発生および他のアンテナへの悪影響を大幅に低減、抑制することができる。
また、アンテナ配線基板４０上に発光素子（ＬＥＤ）３６ｂを実装することにより、独立した光源装置（配線基板および発光素子）が不要となり、部品点数の削減およびデバイスの小型化を図ることができる。更に、本実施形態では、アンテナ配線基板４０の第１コネクタとして、本体４０ａの背面に設けられたスタッキングコネクタを用いることにより、アンテナ配線基板４０の第１延出部４１ａを省略し、アンテナ配線基板４０の小型化を図ることが可能となる。同時に、アンテナ配線基板４０と制御回路基板６０とを容易に接続可能となる。  
以上のことから、第２の実施形態によれば、アンテナおよび他の電子部品とのノイズ干渉を低減することが可能な電子機器が得られる。
【００３３】
（第３変形例）
図１３は、第３変形例に係るアンテナ配線基板の配線側を示す平面図、図１４は、上記アンテナ配線基板の背面側を示す平面図である。  
図１３および図１４に示すように、第３変形例では、アンテナ配線基板４０の本体４０ａ上で第２延出部４１ｂの近傍に、２つの発光素子（ＬＥＤ）３６ｂが実装されている。アンテナ配線基板４０上にＬＥＤ３６ｂに駆動信号を供給するための第２信号配線ＤＷ２が設けられている。２本の第２信号配線ＤＷ２は、それぞれ本体４０ａの一端部から本体４０ａ上を通り一方のＬＥＤ３６ｂまで延在し、ＬＥＤ３６ｂに電気的に接続されている。第２信号配線ＤＷ２の一端は、メッキスルーホールＴＨ３あるいは接続端子を介して、背面側の第１コネクタ４５に電気的に接続されている。本変形例において、第２信号配線ＤＷ２の他端は、ＬＥＤ３６ｂから延出し、メッキスルーホールＴＨ４あるいは接続端子を介して、アンテナ配線基板４０の背面に露出し、更に、アンテナ配線基板４０の背面側（コネクタ実装面）を通って第１コネクタ４５まで延び、第１コネクタ４５に電気的に接続される。これにより、アンテナ配線ＡＷの設置領域を拡大させる事が可能となる。
アンテナ配線基板の他の構成は、前述した第２の実施形態におけるアンテナ配線基板と同様である。
【００３４】
（第３の実施形態）
図１５は、第３の実施形態に係るウエラブルデバイスの構成要素を示す分解斜視図、図１６は、第３の実施形態に係るウエラブルデバイスの断面図である。  
第３の実施形態によれば、図１５および図１６に示すように、アンテナ配線基板４０は、バックライト装置３０と制御回路基板６０との間に配置され、アンテナ配線基板４０の配線側の面がバックライト装置３０に対向し、シールド層側の面が制御回路基板６０に対向している。アンテナ配線基板４０は、ＬＥＤ３６ｂを除く、本体４０ａの表面全体に形成された白色カバー層ＲＥを有している。この白色カバー層ＲＥは、バックライト装置３０の反射シートとして機能する。すなわち、白色カバー層ＲＥは、導光板ＬＧの背面Ｓ２に隣接対向して位置し、導光板ＬＧから出た光を導光板ＬＧ側に反射する。バックライト装置３０の反射シートを省略し、アンテナ配線基板４０に反射シートを一体化している。  
ウエラブルデバイス１０の他の構成は、前述した第２の実施形態に係るウエラブルデバイスと同様である。  
上記第３の実施形態によれば、アンテナ配線基板４０に反射シートの機能を持たせることにより、アンテナ配線基板４０に種々の機能を集約することができ、ウエラブルデバイスの構成部品点数の削減を図ることが可能となる。その他、第３の実施形態においても、前述した第１および第２の実施形態と同様の作用効果を得ることができる。
【００３５】
（第４の実施形態）
図１７は、第４の実施形態に係るウエラブルデバイスのアンテナ配線基板を示す平面図、図１８は、図１７の線Ｃ−Ｃに沿ったアンテナ配線基板の断面図である。
第４の実施形態によれば、図１７および図１８に示すように、アンテナ配線基板４０は、本体４０ａの背面に形成されたシールド層４３に加えて、本体４０ａの配線側の表面上に設けられた第２シールド層４３ｂを有している。第２シールド層４３ｂは、円環状に形成され、本体４０ａとほぼ等しい外径およびアンテナ配線ＡＷの径よりも僅かに大きい内径を有している。第２シールド層４３ｂは、アンテナ配線ＡＷおよびＬＥＤ３６ｂを除いて、信号配線ＤＷ１を覆っている。
第４の実施形態において、アンテナ配線基板４０およびウエラブルデバイスの他の構成は、前述した第２の実施形態に係るアンテナ配線基板と同様である。
第４の実施形態によれば、アンテナ配線基板４０に第２シールド層４３ｂを設けることにより、信号配線ＤＷ１と他の電子部品との間のクロストークによるノイズの発生および他のアンテナへの悪影響を一層低減および抑制することができる。その他、第４の実施形態においても、前述した第１および第２の実施形態と同様の作用効果を得ることができる。
【００３６】
本発明の実施形態および複数の変形例を説明したが、これらの実施形態および変形例は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形例は、発明の範囲や要旨に含まれるとともに、特許請求の範囲に記載された発明とその均等の範囲に含まれる。上述した実施形態あるいは変形例によりもたらされる他の作用効果について本明細書の記載から明らかなもの、又は当業者において適宜想到し得るものついては、当然に本発明によりもたらされるものと解される。
【００３７】
本発明の実施形態として上述した各構成を基にして、当業者が適宜設計変更して実施し得る全ての構成も、本発明の要旨を包含する限り、本発明の範囲に属する。例えば、アンテナ配線基板は円形に限定されることなく、筐体あるいは設置場所の形状に合わせて任意の形状とすることが可能である。信号配線の配線数は、実施形態に限定されることなく、必要に応じて増減可能である。また、光源の設置数は、１つあるいは２つに限らず、必要に応じて増加してもよい。ウエラブルデバイスは、腕時計型に限定されるものではなく、他の種々のウエラブルデバイスに適用可能である。更に、表示パネルは、メモリ内臓の液晶表示パネルに限らず、他の液晶表示パネルあるいは有機ＥＬ表示パネル等を用いてもよい。
【符号の説明】
【００３８】
１０…ウエラブルデバイス、１２…筐体、２０…表示パネル、  
３０…バックライト装置、ＬＧ…導光板、３６ｂ…発光素子（ＬＥＤ）、  
４０…アンテナ配線基板、４０ａ…本体、４１ａ…第１延出部、４１ｂ…第２延出部、
ＡＷ…アンテナ配線、ＤＷ１…信号配線、ＤＷ２…信号配線、４３…シールド層、  
４５…第１コネクタ、６０…制御回路基板、６２ｂ…第２コネクタ  
【図１】
2020102661.tif 000003
【図２】
2020102661.tif 000004
【図３】
2020102661.tif 000005
【図４】
2020102661.tif 000006
【図５】
2020102661.tif 000007
【図６】
2020102661.tif 000008
【図７】
2020102661.tif 000009
【図８】
2020102661.tif 000010
【図９】
2020102661.tif 000011
【図１０】
2020102661.tif 000012
【図１１】
2020102661.tif 000013
【図１２】
2020102661.tif 000014
【図１３】
2020102661.tif 000015
【図１４】
2020102661.tif 000016
【図１５】
2020102661.tif 000017
【図１６】
2020102661.tif 000018
【図１７】
2020102661.tif 000019
【図１８】
2020102661.tif 000020